【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
液体を並行して配量するための装置において、
第１本体（２０ａ，２０ｂ）を有し、
第１本体（２０ａ，２０ｂ）は主管路（８）、従管路（９，１０，１１，１２）、流入口（１）および排出口（６）を有し、
主管路（８）は流入口（１）に接続され、
従管路（９，１０，１１，１２）はそれぞれ１つの排出口に接続され、
従管路（９，１０，１１，１２）は主管路（８）に接続され、
前記装置は、第１の発生媒体を含む少なくとも第１室を備え、
第１本体（２０ａ，２０ｂ）は、第１室から従管路に到る第１圧力媒体の圧力衝撃を伝達するための伝達手段（２）を有し、
各伝達手段（２）は従管路（９，１０，１１，１２）に接続され、
伝達手段（２）には、従管路（９，１０，１１，１２）と室との間の流れの接続を阻止するための阻止手段（２１）が少なくとも設けられていることを特徴とする液体を並行して配量するための装置。
【請求項２】
前記装置は主管路（８）において流れを分離するための制御可能な分離手段（１４）を有することを特徴とする請求項１に記載の装置。
【請求項３】
前記分離手段（１４）は、流入口（１）と、主管路（８）の従管路（９，１０，１１，１２）のいずれかとの第１接続部との間、および主管路（８）と従管路（９，１０，１１，１２）のいずれかとの全接続部の間の少なくともいずれか一方に配置されていることを特徴とする請求項２に記載の装置。
【請求項４】
分離手段（１４）は弁であることを特徴とする請求項２または３に記載の装置。
【請求項５】
前記阻止手段は弾性を有するかつ少なくともほぼ液密の第１フォイル（２１）の区間であることを特徴とする請求項１〜４のいずれか１項に記載の装置。
【請求項６】
前記フォイルはエラストマーであることを特徴とする請求項１〜５のいずれか１項に記載の装置。
【請求項７】
主管路（８）および従管路（９，１０，１１，１２）は第１本体（２０ａ，２０ｂ）の第１外面における溝として設けられていることを特徴とする請求項１〜６のいずれか１項に記載の装置。
【請求項８】
主管路（８）および従管路（９，１０，１１，１２）の少なくともいずれか一方は少なくとも区間ごとの毛細管であることを特徴とする請求項１〜７のいずれか１項に記載の装置。
【請求項９】
主管路（８）に接続する従管路（９，１０，１１，１２）の区間（１０，１１）は毛細管であることを特徴とする請求項８に記載の装置。
【請求項１０】
前記伝達手段は第１空所（２）として構成されていることを特徴とする請求項１〜９のいずれか１項に記載の装置。
【請求項１１】
第１空所（２）は各従管路（９，１０，１１，１２）の第１の端部に設けられ、また排出口（６）は各従管路（９，１０，１１，１２）の第２の端部に設けられていることを特徴とする請求項１０に記載の装置。
【請求項１２】
第１フォイル（２１）は第１外面上に設けられることを特徴とする請求項５〜１１のいずれか１項に記載の装置。
【請求項１３】
第１フォイルは接着によって第１本体（２０ａ，２０ｂ）に固定されることを特徴とする請求項５〜１２のいずれか１項に記載の装置。
【請求項１４】
第１フォイル（２１）は少なくとも第１空所（２）を覆うことを特徴とする請求項１０〜１３のいずれか１項に記載の装置。
【請求項１５】
第１フォイルは第１空所（２）の領域において接着によって第１本体（２０ａ，２０ｂ）に固定されることを特徴とする請求項１０〜１４のいずれか１項に記載の装置。
【請求項１６】
前記装置は第２本体（２２）を有することを特徴とする請求項１〜１５のいずれか１項に記載の装置。
【請求項１７】
第２本体（２２）は第１フォイル（２１）上にあり、第２本体（２２）および第１フォイル（２１）は少なくとも第１室（２３）を包囲することを特徴とする請求項１６に記載の装置。
【請求項１８】
第１室は第１フォイルを介して伝達手段に接続していることを特徴とする請求項１７に記載の装置。
【請求項１９】
圧力媒体は、第１の値に達した圧力であって、第１フォイル（２１）を第１本体（２０ａ，２０ｂ）に確実に固定する圧力下にあることを特徴とする請求項５〜１８のいずれか１項に記載の装置。
【請求項２０】
従管路の区間（１０，１１，１２）には、液体を配量するための配量手段（４）が設けられていることを特徴とする請求項１〜１９のいずれか１項に記載の装置。
【請求項２１】
配量手段（４）は排出口（６）と、対応する従管路（９，１０，１１，１２）と主管路（８）との接続部との間に設けられることを特徴とする請求項２０に記載の装置。
【請求項２２】
配量手段は第１本体（２０ａ，２０ｂ）の第１外面における第２空所（４）であることを特徴とする請求項２１に記載の装置。
【請求項２３】
第２空所（４）は第１フォイル（２１）によって覆われていることを特徴とする請求項２３に記載の装置。
【請求項２４】
第２空所（４）は第２のフォイルによって覆われていることを特徴とする請求項２２に記載の装置。
【請求項２５】
弁（１４）は各第３空所（３０）と第１フォイル（２１）または第２フォイルまたは第３フォイルとによって形成されていることを特徴とする請求項４〜２４のいずれか１項に記載の装置。
【請求項２６】
第１室（２３）は、第３空所（３０）の領域において、第１、第２または第３フォイルを覆うことを特徴とする請求項２５に記載の装置。
【請求項２７】
第２本体および第１本体（２０ａ，２０ｂ）は、第３空所（３０）の領域において第１、第２または第３フォイル（３５）を覆う第２室（３４）を包囲することを特徴とする請求項２５に記載の装置。
【請求項２８】
第２室（３４）は第２の圧力媒体を含むことを特徴とする請求項２７に記載の装置。
【請求項２９】
第２本体は微細構造要素を有することを特徴とする請求項１６〜２８のいずれか１項に記載の装置。
【請求項３０】
前記微細構造要素は第１室および第２室の少なくともいずれか一方に突出していることを特徴とする請求項２９に記載の装置。
【請求項３１】
微細構造要素は第１フォイル（２１）を第１本体（２０ａ，２０ｂ）に固定することを特徴とする請求項３０に記載の装置。
【請求項３２】
第１室は０．１ｍｍ〜３ｍｍの高さを有することを特徴とする請求項１〜３１のいずれか１項に記載の装置。
【請求項３３】
第２室は０．１ｍｍ〜３ｍｍの高さを有することを特徴とする請求項２７〜３２のいずれか１項に記載の装置。
【請求項３４】
前記装置は圧力衝撃発生手段を有することを特徴とする請求項１〜３３のいずれか１項に記載の装置。
【請求項３５】
第１室および第２室の少なくともいずれか一方は圧力衝撃を発生するための圧力衝撃発生手段に接続可能であることを特徴とする請求項３４に記載の装置。
【請求項３６】
第１室および第２室の少なくともいずれか一方は第２本体（２２）の一部によって形成された壁面を有しており、該壁面は圧力衝撃発生手段の作用下で室（２３）の内部へ転向可能であることを特徴とする請求項３４または３５に記載の装置。
【請求項３７】
前記圧力衝撃発生手段は圧電素子であることを特徴とする請求項３４〜３６のいずれか１項に記載の装置。
【請求項３８】
第１室（２３）および第２室（３４）は個別に制御可能であることを特徴とする請求項２７〜３７のいずれか１項に記載の装置。
【請求項３９】
第３空所（３０）は縁（３１）の少なくとも一部から底部（３２）へ平坦に下降する側面の境界面（３３）を有することを特徴とする請求項２５〜３８のいずれか１項に記載の装置。
【請求項４０】
平坦に下降する側面の境界面（３３）は５度〜４５度の角度（α）で傾斜していることを特徴とする請求項３９に記載の装置。
【請求項４１】
第３空所（３０）は凹状湾曲を有することを特徴とする請求項２５〜４０のいずれか１項に記載の装置。
【請求項４２】
前記湾曲は球面状であることを特徴とする請求項４１に記載の装置。
【請求項４３】
前記湾曲は非球面状であることを特徴とする請求項４１に記載の装置。
【請求項４４】
前記湾曲は円筒状であることを特徴とする請求項４１に記載の装置。
【請求項４５】
第３空所（３０）の少なくとも一部への主管路（８）区間の２つの進入開口（３５）間において、第１の縁（３１ａ）から側面の境界面（３３）および底部（３２）を経て第２の縁（３１ｂ）までリッジ（３６）が延びていることを特徴とする請求項３９〜４４のいずれか１項に記載の装置。
【請求項４６】
第３空所（３０）は主管路（８）の深さの０．９〜１．５倍に相当する深さを有することを特徴とする請求項２５〜４５のいずれか１項に記載の装置。
【請求項４７】
第３空所（３０）は主管路（８）の深さの０．９〜１倍に相当する深さを有しており、主管路（８）区間の２つの進入開口（３５）は溝（３６）を介して互いに接続されていることを特徴とする請求項２５〜４６のいずれか１項に記載の装置。
【手続補正２】
【補正対象書類名】明細書
【補正対象項目名】００４３
【補正方法】変更
【補正の内容】
【００４３】
さらに詳しくは、本発明は、液体を並行して配量するための装置において、
第１本体を有し、
第１本体は主管路、従管路、流入口および排出口を有し、
主管路は流入口に接続され、
従管路はそれぞれ１つの排出口に接続され、
従管路は主管路に接続され、
前記装置は、第１の発生媒体を含む少なくとも第１室を備え、
第１本体は、第１室から従管路に到る第１圧力媒体の圧力衝撃を伝達するための伝達手段を有し、
各伝達手段は従管路に接続され、
伝達手段には、従管路と室との間の流れの接続を阻止するための阻止手段が少なくとも設けられていることを特徴とする液体を並行して配量するための装置である。
【手続補正３】
【補正対象書類名】明細書
【補正対象項目名】００４５
【補正方法】変更
【補正の内容】
【００４５】
本発明において、前記分離手段は、流入口と、主管路の従管路のいずれかとの第１接続部との間に、および主管路と従管路のいずれかとの全接続部の間の少なくともいずれか一方に配置されていることを特徴とする。
本発明において、分離手段は弁であることを特徴とする。
【手続補正４】
【補正対象書類名】明細書
【補正対象項目名】００４７
【補正方法】変更
【補正の内容】
【００４７】
本発明において、主管路および従管路は第１本体の第１外面における溝として設けられていることを特徴とする。
【手続補正５】
【補正対象書類名】明細書
【補正対象項目名】００４８
【補正方法】変更
【補正の内容】
【００４８】
本発明において、主管路および従管路の少なくともいずれか一方は少なくとも区間ごとの毛細管であることを特徴とする。
【手続補正６】
【補正対象書類名】明細書
【補正対象項目名】００５０
【補正方法】変更
【補正の内容】
【００５０】
本発明において、第１空所は各従管路の第１の端部に設けられ、また排出口は各従管路の第２の端部に設けられていることを特徴とする。
本発明において、第１フォイルは第１外面上に設けられることを特徴とする。
【手続補正７】
【補正対象書類名】明細書
【補正対象項目名】００５２
【補正方法】変更
【補正の内容】
【００５２】
本発明において、第１フォイルは第１空所の領域において接着によって第１本体に固定されることを特徴とする。
本発明において、前記装置は第２本体を有することを特徴とする。
【手続補正８】
【補正対象書類名】明細書
【補正対象項目名】００５６
【補正方法】変更
【補正の内容】
【００５６】
本発明において、従管路の区間には、液体を配量するための配量手段が設けられていることを特徴とする。
【手続補正９】
【補正対象書類名】明細書
【補正対象項目名】００６４
【補正方法】変更
【補正の内容】
【００６４】
本発明において、前記微細構造要素は第１室および第２室の少なくともいずれか一方に突出していることを特徴とする。
【手続補正１０】
【補正対象書類名】明細書
【補正対象項目名】００６６
【補正方法】変更
【補正の内容】
【００６６】
本発明において、第１室は０．１ｍｍ〜３ｍｍの高さを有することを特徴とする。
本発明において、第２室は０．１ｍｍ〜３ｍｍの高さを有することを特徴とする。
【手続補正１１】
【補正対象書類名】明細書
【補正対象項目名】００６７
【補正方法】変更
【補正の内容】
【００６７】
本発明において、前記装置は圧力衝撃発生手段を有することを特徴とする。
本発明において、第１室および第２室の少なくともいずれか一方は圧力衝撃を発生するための圧力衝撃発生手段に接続可能であることを特徴とする。
【手続補正１２】
【補正対象書類名】明細書
【補正対象項目名】００６８
【補正方法】変更
【補正の内容】
【００６８】
本発明において、第１室および第２室の少なくともいずれか一方は第２本体の一部によって形成された壁面を有しており、該壁面は圧力衝撃発生手段の作用下で室の内部へ転向可能であることを特徴とする。